(57)【要約】【課題】ナノストラクチャまたはマイクロストラクチャ表面に置かれた小滴の移動が、ナノストラクチャ・フィーチャ・パターンの少なくとも１つの特性または小滴の少なくとも１つの特性によって決定される方法および装置を提供する。【解決手段】小滴の横方向の移動が、ナノストラクチャ・フィーチャ・パターンの少なくとも１つの特性によって、小滴がナノストラクチャ・フィーチャ・パターンに沿って所望の方向に移動するように決定される。他の実施形態では、小滴の移動が、ナノストラクチャ・フィーチャ・パターンの少なくとも１つの特性または小滴の少なくとも１つの特性によって、小滴が所望の領域のフィーチャ・パターンに侵入し、そこで実質的に不動化するように決定される。【選択図】図９Ａ
2004299051.tif 000002
【特許請求の範囲】
【請求項１】
フィーチャのパターンを有する表面を備え、前記表面が、
パターン内特性を有する複数のナノストラクチャまたはマイクロストラクチャ
を含み、
前記パターン内特性の少なくとも１つの特性が、前記表面に置かれた小液滴の制御された移動を所定の方向で生み出すように適合されている装置。
【請求項２】
前記パターン内特性の前記少なくとも１つの特性が、少なくとも１つの前記ナノストラクチャまたは前記マイクロストラクチャの前記小滴に対する電圧である、請求項１に記載の装置。
【請求項３】
前記パターン内特性の前記少なくとも１つの特性が、前記複数のナノストラクチャまたはマイクロストラクチャの少なくとも一部分のそれぞれのナノストラクチャまたはマイクロストラクチャ間の距離である、請求項１に記載の装置。
【請求項４】
前記パターン内特性の前記少なくとも１つの特性が、前記複数のナノストラクチャまたはマイクロストラクチャの少なくとも一部分の形状である、請求項１に記載の装置。
【請求項５】
ナノストラクチャまたはマイクロストラクチャのパターンを有し、前記ナノストラクチャまたはマイクロストラクチャ・パターンの少なくとも一部分の空間密度が変化している表面と、
前記表面に置かれた小液滴と
を備え、
前記パターンの前記空間密度が、前記小滴の制御された移動を所定の方向で生み出すように適合されている装置。
【請求項６】
ナノストラクチャまたはマイクロストラクチャのパターンを有し、前記ナノストラクチャまたはマイクロストラクチャ・パターンの少なくとも一部分の空間密度が変化している表面と、
前記表面に置かれた小液滴と
を備え、
前記表面と前記小滴の間の接触面積が、前記小滴の制御された移動を所定の方向で生み出すように適合されている装置。
【請求項７】
ナノストラクチャまたはマイクロストラクチャのパターンを有する表面と、
前記表面に置かれた小液滴と、
前記小滴を前記表面に侵入させるための手段と
を備えた装置。
【請求項８】
前記侵入手段が、前記小滴に電圧を印加するための手段を含む、請求項７に記載の装置。
【請求項９】
前記侵入手段が、前記小滴の表面張力を低減させるための手段を含む、請求項７に記載の装置。
【請求項１０】
前記低減手段が、前記小滴の少なくとも一部分に少なくとも１種の化学または生物要素を導入するための手段を含む、請求項９に記載の装置。
【請求項１１】
前記表面に入射した光ビームの少なくとも一部分が前記表面を通過し、前記一部分が、前記小滴が前記表面に侵入しているかどうかによって決定される、請求項７に記載の装置。
【請求項１２】
前記表面に入射した光ビームの少なくとも一部分が前記表面で反射され、前記一部分が、前記小滴が前記表面に侵入しているかどうかによって決定される、請求項７に記載の装置。
【請求項１３】
光ビームの第１の波長が前記表面で所定の第１の方向に反射される、請求項７に記載の装置。
【請求項１４】
前記小液滴が前記パターンに侵入すると、第２の光波長が前記表面で所定の第２の方向に反射される、請求項１３に記載の装置。
【請求項１５】
前記侵入手段が、前記小液滴の温度を上昇させるための手段を含む、請求項７に記載の装置。
【請求項１６】
前記侵入手段が、前記表面の温度を上昇させるための手段を含む、請求項７に記載の装置。
【請求項１７】
表面を備え、前記表面が、前記表面に置かれた小液滴の制御された移動を所定の方向で生み出すように適合されており、前記表面が、複数のナノストラクチャまたはマイクロストラクチャを含み、前記複数の少なくとも１つの第１の部分が、前記複数の少なくとも１つの第２の部分とは異なる空間密度を有する装置。
【請求項１８】
表面を備え、前記表面が、前記表面に置かれた小液滴の制御された移動を所定の方向で生み出すように適合されており、前記表面が、複数のナノストラクチャまたはマイクロストラクチャを含み、前記複数の少なくとも１つの第１の部分の前記ナノストラクチャまたはマイクロストラクチャがそれぞれ所定の非対称形を有する装置。
【請求項１９】
前記複数の少なくとも１つの第２の部分の前記ナノストラクチャまたはマイクロストラクチャがそれぞれ異なる空間密度を有する、請求項１８に記載の装置。
【請求項２０】
化学または生物要素の存在を検出器を用いて検出するための方法において、前記検出器が表面を有し、前記表面が、ナノストラクチャまたはマイクロストラクチャのパターンと、前記表面に置かれた液体の小滴とを備えた方法であって、前記検出器を媒質に暴露する工程を含み、
前記液体が、前記媒質中の化学または生物要素が前記小滴に導入されたのに応答して前記小滴が前記表面に侵入するように選択されている方法。
【請求項２１】
前記小滴が前記表面に侵入したことに応答して指示を生成する工程をさらに含む、請求項２０に記載の方法。
【請求項２２】
前記指示が、前記表面の少なくとも一部分の色の変化を含む、請求項２１に記載の方法。
【請求項２３】
前記指示が電気信号を含む、請求項２１に記載の方法。
【請求項２４】
第１の液体を収容するように適合された第１のチャネルと、
第２の液体を収容するように適合された第２のチャネルと、
第３の液体を収容するように適合された第３のチャネルと
を備え、
前記第３の液体が前記第１の液体と前記第２の液体とを含み、
さらに、
前記第１のチャネルおよび前記第２のチャネルを前記第３のチャネルに結合するための手段と、
前記第１の液体と前記第２の液体のうちの少なくとも一方を前記第３のチャネルの表面に侵入させることによって、前記第３のチャネルの中の流れを乱すための手段と
を備えたマイクロフルイディクス・ミキサ。
【請求項２５】
液体を収容するように適合されたチャネル
を備え、
前記チャネルの表面に熱発生装置が配置されており、
さらに、
前記液体を前記チャネルの表面に侵入させることによって前記チャネルの中の流れを乱すための手段
を備えた調整可能な熱放散装置。
【発明の詳細な説明】
【技術分野】
【０００１】
本発明は一般に、極めて小さな所定の表面フィーチャを有する表面に置かれた液体の移動に関し、詳細には、所定のナノストラクチャまたはマイクロストラクチャ・フィーチャを有する表面に置かれた液体の移動の制御に関する。
【背景技術】
【０００２】
無数の応用例における有益な多くの装置または構造が、少なくとも１つの固体表面と接触した液体を有することを少なくともその特徴の１つとしている。例えば、表面またはチャネルの中に置かれた小液滴は、多くのマイクロフルイディクス装置、生物／化学センサ、化学反応器、光学部品、熱放散装置およびパターン形成応用例の特徴である。これらの装置および応用例の多くは、表面と接触したまま液体が移動し、または表面と接触させたまま液体を移動させることを特徴としている。液体と表面の相互作用は液体および表面の特性によって決まるため、液体と表面の相互作用を制御するためには、液体および表面の特性を理解し制御することがしばしば望ましい。これは特に、問題の応用例が比較的に少量の液体を含むときにそうである。
【０００３】
図１に、液体マイクロレンズ１０１が形成されるように表面に置かれた小液滴１０２の例示的な従来技術の一実施形態を示す。このような液体マイクロレンズは、２００１年６月１９日出願の「Ｔｕｎａｂｌｅ  Ｌｉｑｕｉｄ  Ｍｉｃｒｏｌｅｎｓ」という名称の同時係属米国特許出願第０９／８８４６０５号、および２００１年９月１３日出願の「Ｔｕｎａｂｌｅ  Ｌｉｑｕｉｄ  Ｍｉｃｒｏｌｅｎｓ  Ｗｉｔｈ  Ｌｕｂｒｉｃａｔｉｏｎ  Ａｓｓｉｓｔｅｄ  Ｅｌｅｃｔｒｏｗｅｔｔｉｎｇ」という名称の同時係属米国特許出願第０９／９５１６３７号の主題となっている。これらの同時係属特許出願はともに、その全体が参照によって本明細書に組み込まれる。図１のマイクロレンズ実施形態は、小液滴および表面がマイクロレンズまたは他の応用例の構成要素であるか否かに関わらず、小液滴と小液滴が置かれた表面との間の相互作用を説明するのに有効である。図１では、小滴１０２が、数マイクロメートルから数ミリメートルの直径を一般に有する（ただし他の直径も可能である）水などの透明な液体の小滴である。小滴は、一般に疎水性の、または疎水性コーティングを含んだ透明な基板１０３の上に置かれている。小滴と基板の間の接触角θは、ミリニュートン毎メートル（ｍＮ／ｍ）で一般に示される界面張力「γ」（これは界面エネルギーとしても知られている）によって決まる。本明細書において、γＳ−Ｖは、基板１０３と基板の周囲の空気、ガスまたは他の液体との間の界面張力、γＬ−Ｖは、小滴１０２と小滴の周囲の空気、ガスまたは他の液体との間の界面張力、γＳ−Ｌは、基板１０３と小滴１０２の間の界面張力である。接触角θは下式（１）から決定することができる。
式（１）  ｃｏｓθ＝（γＳ−Ｖ−γＳ−Ｌ）／γＬ−Ｖ
式（１）は、小液滴がマイクロレンズとして使用されるか否かに関わらず、小滴が表面に置かれている場合に適用される。
【０００４】
図１のマイクロレンズ実施形態および液体が表面に置かれる他の形態では、小滴の形状を変化させることができることがしばしば望ましい。図２に、エレクトロウェッティング（ｅｌｅｃｔｒｏｗｅｔｔｉｎｇ）現象を使用し、導電性液体の小滴２０２と厚さ「ｄ」、比誘電率εｒの誘電絶縁層２０３との間の接触角θを可逆的に変化させることによって小滴の形状を変化させる、図１のマイクロレンズに似た従来技術のマイクロレンズ２０１を示す。誘電層２０３の下には金属電極２０４などの電極が配置されており、電極は誘電層によって小滴２０２から絶縁されている。小滴２０２は例えば水滴とすることができ、誘電絶縁層２０３は例えばＴｅｆｌｏｎ／Ｐａｒｙｌｅｎｅ表面とすることができる。
【０００５】
小滴２０２と電極２０４の間に電圧差がないとき、小滴２０２は、小滴の体積と接触角θ１とによって規定されるその形状を維持する。θ１は、先に説明したとおり界面張力γによって決まる。電極２０４に電圧Ｖが加わると、電極２０４と小滴２０２との電圧差によって小滴が広がる。破線２０５は、小滴２０２が、電極２０４に関するその中央位置から層２０３に沿って均等に広がるようすを示している。具体的には、電極２０４と小滴２０２の間に電圧が印加されると、接触度θがθ１からθ２に低下する。小滴の異なる部分の下に別個の電極を使用し、それらの個々の電極への電圧を変化させることによって、小滴がその中央位置から別の所望の位置へ移動するような小滴の広がりを達成することができる。このような移動は、前述の同時係属米国特許出願第０９／８８４６０５号および第０９／９５１６３７号に記載されている。小滴の形状を変化させるのか、または小滴の位置を変化させるのかに関わらず、この広がりを達成するのに必要な電圧Ｖは例えば数ボルトから数百ボルトである。広がりの量、すなわちθ１とθ２の差によって決まる広がりの量は印加電圧Ｖの関数である。接触角θ２は下式（４）から求めることができる。
【０００６】
式（４）  ｃｏｓθ（Ｖ）＝ｃｏｓθ（Ｖ＝０）＋Ｖ２（ε０εｒ）／（２ｄγＬ−Ｖ）
上式で、ｃｏｓθ（Ｖ＝０）は、小滴２０２と電極２０４の間に電圧が印加されていないときの絶縁層２０３と小滴２０２の間の接触角、γＬ−Ｖは先に説明した小滴の界面張力、εｒは絶縁層２０３の比誘電率、ε０は、真空の誘電率８．８５×１０−１２Ｆ／Ｍである。
【０００７】
先に説明した液体マイクロレンズなどの実施態様では、小滴が置かれた表面は疎水性であるものの、その特性は、表面と接触する領域で小滴がかなり平らになるというものである。したがって、結果として生じる表面と小滴の間の大きな接触面積のため、表面と小滴の間にはかなりの量の流動抵抗が存在する。上述のマイクロレンズではこのほうが望ましい。なぜなら、流動抵抗が小さすぎる場合には、小滴が自由に移動し、小滴を制御する別の手段がない限り、小滴を所望の静止位置に維持し、または所望の形状に保つことが不可能になってしまうからである。しかし多くの場合、表面の液体が受ける流動抵抗を低減させることが望ましい。
【０００８】
したがって、このような表面に置かれた液体に依存する最近の応用例は、液体に発揮される前述の流動抵抗を低減することに集中している。先に挙げた装置などの多くの装置は、結果的に装置の動作時電力消費が相当に低減するため、このような低い流動抵抗から恩恵を得ることができる。このような１つの応用例が、「Ｎａｎｏｓｔｒｕｃｔｕｒｅｄ  Ｓｕｒｆａｃｅｓ  ｆｏｒ  Ｄｒａｍａｔｉｃ  Ｒｅｄｕｃｔｉｏｎ  ｏｆ  Ｆｌｏｗ  Ｒｅｓｉｓｔａｎｃｅ  ｉｎ  Ｄｒｏｐｌｅｔ−ｂａｓｅｄ  Ｍｉｃｒｏｆｌｕｉｄｉｃｓ」、Ｊ．ＫｉｍおよびＣ．Ｊ．Ｋｉｍ、ＩＥＥＥ  Ｃｏｎｆ．ＭＥＭＳ、米ネバダ州ラスべガス、２００２年１月、４７９〜４８２ページに記載されている。この文献はその全体が参照によって本明細書に組み込まれる。この文献には全般的に、所定のナノストラクチャ・フィーチャを有する表面を使用することによって、表面と接触した液体の流動抵抗を大幅に低減する方法が記載されている。
【０００９】
この文献には、液体と接触した表面を細かくパターニングし、かつ先に述べた液体の表面張力の原理を使用することによって、表面と液体の間の接触面積を大幅に低減できることが教示されている。その結果、表面の液体の流動抵抗も対応して低減する。
【００１０】
図３Ａ〜３Ｆに、極めて細かいフィーチャを有する異なるマイクロストラクチャおよびナノストラクチャ表面パターンから、表面と小液滴の間の異なる接触角がどのように生じるのかを示す。図３Ａおよび３Ｂはそれぞれ、マイクロライン（ｍｉｃｒｏｌｉｎｅ）表面およびマイクロポスト（ｍｉｃｒｏｐｏｓｔ）表面を示している。図３Ａのライン３０１の幅はおよそ３〜５マイクロメートル、図３Ｂのマイクロポスト３０２の直径は、最も太いところでおよそ３〜５マイクロメートルである。このマイクロライン・パターンとマイクロポスト・パターンを比べると、それぞれの表面に置かれた所与のサイズの小滴に関して、小滴とマイクロライン・パターンとの接触面積は、小滴とマイクロポスト・パターンとの接触面積よりも大きい。図３Ｄおよび３Ｅはそれぞれ、図３Ａのマイクロライン表面および図３Ｂのマイクロポスト表面に対する小滴の接触角を示している。マイクロライン・パターン上の小滴３０５の接触角３０３（〜１４５度）は、マイクロポスト・パターンと小滴３０６の接触角３０４（〜１６０度）よりも小さい。その結果、先に述べたとおり、マイクロライン・パターンが小滴に対して発揮する流動抵抗は、マイクロポスト・パターンが小滴に対して発揮する流動抵抗よりも大きくなる。
【００１１】
図３Ｃに、マイクロラインおよびマイクロポスト・パターンよりもさらに細かいパターンを示す。具体的には図３Ｃは、それぞれのナノポスト３０９が１マイクロメートル未満の直径を有するナノポスト（ｎａｎｏｐｏｓｔ）パターンを示している。図３Ｃには、多少なりとも円錐形に形成されたナノポスト３０９が示されているが、他の形状およびサイズも実施可能である。実際に、それぞれのナノポストが１０ｎｍ未満の直径を有する円筒形ナノポストのアレイもすでに製作されている。具体的に図４Ａ〜４Ｅに、さまざまな方法を使用して製作された異なる例示的な配列のナノポストを示す。これらの図はさらに、このようなさまざまな直径のナノポストを、さまざまな程度の規則性で形成することができることを示している。これらの図はさらに、さまざまな直径を有するナノポストをさまざまな間隔で製作することができることを示している。２００１年２月１３日にＴｏｎｕｃｃｉ他に発行された「Ｎａｎｏｐｏｓｔ  ａｒｒａｙｓ  ａｎｄ  ｐｒｏｃｅｓｓ  ｆｏｒ  ｍａｋｉｎｇ  ｓａｍｅ」という名称の米国特許第６１８５９６１号に出ているナノポストを製作する例示的な一方法はその全体が参照によって本明細書に組み込まれる。ナノポストは、テンプレートを使用し、さまざまなリソグラフィ手段およびさまざまなエッチング方法によってポストを形成する方法など、さまざまな方法によって製作されている。
【００１２】
図３Ｆを参照する。図３Ｃのナノポストの表面に置かれた小滴３０７はほぼ球形であり、表面と小滴の間の接触角３０８は１７５度から１８０度である。この表面に置かれた小滴３０７は流動抵抗をほとんど受けない。この極めて低い流動抵抗のため、このナノストラクチャ表面で水滴を静止させておくことはほぼ不可能となるので、前掲のＫｉｍ他の文献でも触れられているように、このような表面に小滴を配置しようとするこれまでの試みは問題をはらんでいた。この低い流動抵抗の理由は、図５に示すように、（表面構造に応じた）適当な液体の小滴５０１の表面張力によって、小滴５０１がナノポストの先端に載ることが可能になり、小滴と基底の固体表面とが接触しないことにある。その結果、小滴と表面の間の接触面積が極めて小さくなり（すなわち小滴はそれぞれのポスト５０２の先端としか接触しない）、したがって流動抵抗が小さくなる。
【００１３】
したがって、前掲のＫｉｍ他の文献に模範的に教示されているように、ナノストラクチャを使用して液体の流動抵抗を低減しようとするこれまでの試みは、細いチャネル、管、または小滴の自由移動を定められた領域の範囲内に制御する他の囲いの中に小滴を配置することに限定されている。
【特許文献１】米国特許出願第０９／８８４６０５号
【特許文献２】米国特許出願第０９／９５１６３７号
【非特許文献１】「Ｎａｎｏｓｔｒｕｃｔｕｒｅｄ  Ｓｕｒｆａｃｅｓ  ｆｏｒ  Ｄｒａｍａｔｉｃ  Ｒｅｄｕｃｔｉｏｎ  ｏｆ  Ｆｌｏｗ  Ｒｅｓｉｓｔａｎｃｅ  ｉｎ  Ｄｒｏｐｌｅｔ−ｂａｓｅｄ  Ｍｉｃｒｏｆｌｕｉｄｉｃｓ」、Ｊ．ＫｉｍおよびＣ．Ｊ．Ｋｉｍ、ＩＥＥＥ  Ｃｏｎｆ．ＭＥＭＳ、米ネバダ州ラスべガス、２００２年１月、４７９〜４８２ページ
【特許文献３】米国特許第６１８５９６１号
【発明の開示】
【発明が解決しようとする課題】
【００１４】
ナノストラクチャまたはマイクロストラクチャ・フィーチャ・パターン上に小液滴を有利に配置しようとするこれまでの試みは、範囲の制限されたチャネルの中に小滴を配置することに限定されているが、小液滴をチャネルの中に入れることなく、ナノストラクチャまたはマイクロストラクチャ表面に置かれた小滴の移動を制御することができれば極めて有利であると思われる。さらに、小液滴とナノストラクチャまたはマイクロストラクチャ表面との間の界面の特性、例えばナノストラクチャまたはマイクロストラクチャ表面との間の接触面積の結果として液体に対して発揮される流動抵抗の量を制御することができれば特に有利であると考えられる。さらに、多くの応用例で、ナノストラクチャまたはマイクロストラクチャ表面の内部への小滴の侵入の程度を制御することができれば非常に有利であろう。
【課題を解決するための手段】
【００１５】
本発明の発明者らは、ナノストラクチャまたはマイクロストラクチャ表面に置かれた小液滴の移動が、表面のナノストラクチャまたはマイクロストラクチャ・フィーチャ・パターンの後に定義する少なくとも１つのパターン内特性、あるいは小滴の少なくとも１つの特性によって決定される方法および装置を発明した。一実施形態では、小滴の横方向の移動が、ナノストラクチャまたはマイクロストラクチャ・フィーチャ・パターンの少なくとも１つの特性によって、小滴がフィーチャ・パターンに沿って所望の方向に移動するように決定される。この移動を達成するために例えば、ナノストラクチャまたはマイクロストラクチャのサイズ、形状、密度または電気特性が、小滴の前縁の接触角が小滴の後縁の接触角よりも小さくなるように設計される。
【００１６】
他の実施形態では小滴の移動が、フィーチャ・パターンの少なくとも１つのパターン内特性または小滴の少なくとも１つの特性によって、小滴が所望の領域のフィーチャ・パターンに侵入し、そこで不動化するように決定される。この特性は例えば、小滴の表面張力、小滴またはパターンの温度、あるは小滴とフィーチャ・パターンの間の電圧差とすることができる。
【００１７】
本発明のこれらの実施形態の一方または両方は、例えば生物またはマイクロ化学検出器、化学反応器、パターン形成応用例、調整可能な回折格子、全内部反射ミラー、マイクロフルイディクス・ミキサ、マイクロフルイディクス・ポンプ、熱放散装置など、さまざまな応用例に有用である。
【発明を実施するための最良の形態】
【００１８】
図６に、複数のナノポスト６０２からなるナノストラクチャ・フィーチャ・パターンがその上に配置された例示的な既知の表面６０１を示す。本明細書の説明全体を通じて、ナノポストまたはナノストラクチャの使用に適用される同じ原理を、マイクロポストまたはフィーチャ・パターン中のより大きな他のフィーチャに同様に適用することができることを当業者は理解されたい。図６の表面６０１およびナノポスト６０２は例えばシリコンから作られる。図６のナノポスト６０２の直径は例えば約３５０ｎｍ、高さは例えば約６μｍ、互いの間隔は中心−中心で例えば約４μｍである。このようなアレイは規則的な間隔で、あるいは不規則な間隔で製作することができることは当業者には自明である。
【００１９】
図７Ａ、７Ｂ、７Ｃおよび７Ｄに、図６の例示的な表面６０１に置いたときのさまざまな液体の振る舞いを示す。図７Ａは、表面張力（γ）７２ｍＮ／ｍの水滴７０１を表面６０１に置くと、前述の理由から水滴７０１はほぼ球形を保つことを示している。図７Ｂ、７Ｃおよび７Ｄは、それぞれの小液滴７０２、７０３および７０４に関して、表面張力が小さいほど（それぞれエチレングリコール［γ＝４７ｍＮ／ｍ］、シクロペンタノール［γ＝３３ｍＮ／ｍ］、およびオクタノール［γ＝２７ｍＮ／ｍ］）、小滴がより広い面積にわたってより大きく広がることを示している。最も小さい表面張力を有する小滴（小滴７０４）が最も大きく広がっている。
【００２０】
特に明記しない限り、本明細書で使用するとき、「ナノストラクチャ」は、少なくとも１つの寸法が１マイクロメートル未満である予め画定された構造であり、「マイクロストラクチャ」は、少なくとも１つの寸法が１ミリメートル未満である予め画定された構造である。用語「フィーチャ・パターン」は、マイクロストラクチャのパターンまたはナノストラクチャのパターンを指す。さらに、本明細書では用語「液体」、「小滴」および「小液滴」が互いに交換可能に使用される。これらの用語はいずれも液体または液体の一部分を指し、それが小滴の形態をとっているか否かは無関係である。さらに、本明細書で使用される媒質は、後に論じるように、その中に生物または化学要素が存在することができる気体または液体である。最後に、本明細書で使用されるパターン内特性は、ａ）他の要素と比較した個々のフィーチャ・パターン要素の特性（パターン全体の向きなどのフィーチャ・パターンのマクロ特性であるパターン間特性とは対照をなす）、またはｂ）形状、サイズ、高さ、電気特性などの個々のフィーチャ・パターン要素のある種の特性と定義される。
【００２１】
図８Ａおよび８Ｂに、図６のナノストラクチャ表面６０１と異なる液体の小滴との間の相互作用を説明する断面図を示す。図８Ａは例えば図７Ａの水の小滴７０１を表す。水の比較的に高い表面張力ならびにナノストラクチャのパターン内特性のため、小滴７０１はナノポスト６０２（図６に詳細に示されている）の先端に載っており、先に論じたとおり、小滴７０１とナノストラクチャ表面６０１の間の非常に大きな接触角を有する。そのため、小滴７０１は非常に小さな流動抵抗しか受けない。図８Ｂは例えば、図７Ｃのシクロペンタノールの小滴７０３を表す。図８Ａの水滴７０１と比べると、シクロペンタノールの小滴７０３はナノポスト６０２の先端には載っていない。その代わりに、この液体の比較的に低い表面張力のため小滴７０３は表面６０１に完全に侵入し、これによってナノポスト６０２の下にある固体表面と接触する。この小滴の接触角は図８Ａの小滴７０１のそれに比べて小さく、また、ナノストラクチャ表面６０１に完全に侵入しているために相対的に大きな流動抵抗を受ける。
【００２２】
所与のナノストラクチャまたはマイクロストラクチャ表面への所与の液体の侵入を制御することができ、したがって、液体に発揮される流動抵抗および固体表面の濡れ特性を制御することができることが望ましいと本発明の発明者らは考えた。図９Ａおよび９Ｂに、図２の例示的なマイクロレンズで使用されるものと同様のエレクトロウェッティングを使用してナノストラクチャ表面への液体の侵入を制御する本発明の原理に基づく一実施形態を示す。
【００２３】
図９Ａを参照すると、円錐形ナノポスト９０２のナノストラクチャ・フィーチャ・パターン上に導電性液体の小滴９０１が先に説明したように置かれており、小滴９０１の表面張力の結果、ナノポスト９０２の上部に小滴が載っている。この配置では、小滴はそれぞれのナノポストの表面積ｆ１を覆うだけである。ナノポスト９０２は導電性基板９０３の表面によって支持されている。小滴９０１は例えば、電圧源９０５を有するリード線９０４を介して基板９０３に電気的に接続されている。図１０に例示的なナノポストを詳細に示す。この図では、誘電材料の絶縁層などの材料１００１によってナノポスト９０２が液体（図９Ａの９０１）から電気的に絶縁されている。ナノポストはさらに、周知のフルオロ・ポリマーなどの低表面エネルギー材料１００２によって液体から分離されている。このような低表面エネルギー材料によって、液体とナノポストの表面との間の適当な初期接触角を得ることができる。当業者には自明であろうが、異なる材料からなる別個の２つの層を使用する代わりに、十分に低い表面エネルギーおよび十分に高い絶縁特性を有する単一の材料層を使用することもできる。
【００２４】
図９Ｂに、導電性の小液滴９０１に低い電圧（例えば１０〜２０ボルト）を印加することによって液体９０１とナノポスト９０２の間に電圧差を生じさせたところを示す。液体とナノポストの表面との間の接触角は小さくなり、接触角が十分に小さくなると、小滴９０１はナノポスト９０２の表面に沿ってｙ方向下方へ移動し、ナノストラクチャ・フィーチャ・パターンへ侵入し、ついにはそれぞれのナノポスト９０２を完全に取り囲み、基板９０３の上面と接触する。この構成では、小滴がそれぞれのナノポストの表面積ｆ２を覆う。ｆ２≫ｆ１なので、小滴９０１とナノポスト９０２の間の全接触面積は相対的に大きく、したがって小滴９０１が受ける流動抵抗は図９Ａの実施形態よりも大きい。したがって、小滴９０１をフィーチャ・パターンから除去する十分な他の力がない限り、小滴９０１は図９Ｂに示すように、ナノストラクチャ・フィーチャ・パターンに対して効果的に静止する。
【００２５】
図１１に、小滴をｙ方向に移動させてナノストラクチャ・フィーチャ・パターンに侵入させる代わりに、小滴１１０１がｘ方向１１０４に横へ移動するようにナノストラクチャ（この例示的な実施形態ではナノポスト１１０２）が配置された、本発明の原理に基づく例示的な装置を示す。具体的には、ナノポスト１１０２の密度がｘ方向１１０４に増大するようにナノポスト１１０２が配置されている。この増大した密度によって、小滴の前縁１１０５の接触角は小滴の後縁１１０６の接触角よりも小さくなる。縁１１０５の相対的に小さな接触角によって小滴１１０１に加えられるｘ方向の力は、縁１１０６の相対的に大きな接触角によって小滴１１０１に加えられるｘ方向の力よりも小さくなる。小液滴１１０１は平衡に達しようとするので、小滴１１０１は、ナノポスト１１０２の密度が高い領域に向かってｘ方向１１０４に「横すべり」する。したがって、液体を配したい表面上の位置に最も高い密度のナノポストを配置することによって、最初に小滴を表面上の別の位置に配置することができ、次いでこの小滴が、最も密度の高い領域に向かって自発的に移動する。
【００２６】
図１１の例示的な実施形態によって達成される移動は、小滴を、ナノストラクチャ密度の最も高い領域である最終的な平衡位置まで移動させるが、この移動を逆転させて最も高い密度の領域から移動するようにすることが望ましいこともある。図１２に、このような反転可能な移動を可能にする本発明の原理に基づく一実施形態を示す。具体的には図１２は、のこぎり歯形に配置されたナノストラクチャ１２０７を有する表面に置かれた小滴１２０１を示している。平衡すると小滴は、図８Ａによって例示したパターンなどのナノポスト・フィーチャ・パターンと同じように位置Ｂで静止する。しかし、小滴１２０１に周期的な励振を加えると、小滴１２０１は方向１２０４に横すべりし始める。このような周期的な励振は例えば、特定のナノストラクチャ１２０７に印加する交流電圧によって、あるいは小滴１２０１の平衡を乱す振幅および周波数の超音波によって作り出すことができる。多くの異なる電圧、ならびに音波の周波数および振幅を使用して、小滴１２０１の平衡を乱すのに必要な力を生み出すことができることを当業者は理解しよう。さらに、この励振は多くの異なる方法によって生み出すことができることも当業者には自明であろう。
【００２７】
小滴１２０１の移動が始まるのは、平衡が乱されると小滴の接触箇所のサイズが周期的に変化し、したがって小滴１２０１の縁１２０５および１２０６が、フィーチャ・パターンのナノストラクチャ１２０７の上で前後に移動するためである。しかし、ナノストラクチャ１２０７の形状が非対称であるために、表面に対する小滴の縁１２０６の接触角ヒステリシスが縁１２０５の接触角ヒステリシスよりも小さくなる。言い換えると、小滴１２０１にとって、表面上を前後に移動する際に、例えばフィーチャ１２０８の垂直面１２１１を乗り越えて移動することは、フィーチャ１２０８の面１２１２を乗り越えて移動することに比べてはるかに難しい。したがって、小滴がいったん特定のナノストラクチャを方向１２０４へ横切ると、小滴は反対方向に戻りにくくなり、そこで位置Ｄなどの新しい平衡位置を確立する。（超音波などの）周期的な励振を継続した場合、小滴は、次のナノストラクチャ１２１３を方向１２０４に横切るまで表面を横切って前後に移動し続ける。ナノストラクチャ１２１３を横切ってしまうと小滴は再び後戻りしにくくなり、方向１２０４の別の新しい平衡位置を獲得する。その結果、この周期的な励振を続けることによって小滴は方向１２０４に確率的に移動する。
【００２８】
図１２の実施形態を、例えば図１１の実施形態に示したようなナノストラクチャの高密度領域と組み合わせることによって、小滴１２０１の反転可能な横方向の移動を達成することができる。例えば、図１２を再び参照すると、ナノストラクチャ１２０７の高密度領域がこの表面の位置Ａにある場合、対抗する力がなければ小滴１２０１は、先に述べたように位置Ａに向かって移動する傾向を示す。しかし、図１２の例示的なのこぎり歯パターンを例えば超音波によって生み出された力ととともに使用して小滴１２０１の平衡を乱した場合、位置Ａ（高密度ナノストラクチャ）に向かって小滴を移動させる力は打ち消され、小滴１２０１は表面上の位置Ｃに向かって方向１２０４へ移動する。平衡を乱す力を除去した場合（すなわち超音波源をオフにした場合）、小滴１２０１は、位置Ａの最も高い密度のナノストラクチャの方へ向かって再び移動する傾向を示す。このようにして反転可能な横方向の移動が達成される。
【００２９】
図９Ａ、９Ｂ、１０、１１および１２の例示的な実施形態は累積的に、本発明の原理を使用することによって、小液滴を表面に沿って横方向へほぼ流動抵抗なしに希望どおりに移動させることができ、さらに、小滴を垂直方向に移動させて、小滴が所定の位置で表面に侵入しそこで事実上静止するようにすることができることを示している。このような移動が可能であることで多くの応用例が考えられる。一例として、図１３Ａおよび１３Ｂに、本発明の原理を使用した生物または化学検出器の一実施形態を示す。図１３Ａを参照すると、図９Ａに示したナノストラクチャと同様のナノストラクチャ１３０２の上に小滴１３０１が置かれている。表面１３０４には、所望の生物または化学合成物１３０３を検出することができる検出器１３０６が置かれている。小滴１３０１の液体およびナノストラクチャ１３０２は、所望の量の所望の合成物１３０３が液体に入ると、液体の表面張力が低下し、液体１３０１が図１３Ｂに示すようにナノストラクチャ・パターンに侵入し、検出器１３０６と接触するように選択されている。合成物１３０３が検出器１３０６と接触したときには、電気信号を生成する、検出器の色を変化させるなどの周知の方法によって、このような接触の指示を生み出すことができる。
【００３０】
検出器として使用する他に、図１３Ａおよび１３Ｂの実施形態は、所望の化学反応を達成する方法としても使用することができることは当業者には明らかである。例えば、図１３Ａを再び参照すると、液体がすでに化合物１３０３を含むように小滴１３０１の液体を選択することができる。この実施形態の検出器１３０６は、元素または化合物１３０３と接触したときに所望の反応を達成する所望の反応物から形成される。これらの検出器／反応物１３０６は、図１３Ｂに示すように小液滴がナノストラクチャ・フィーチャ・パターンに侵入したときに、この２つの化学物質が互いに接触し所望の反応が起こるよう、ナノストラクチャの間に配置される。先に（例えば図９Ａおよび９Ｂに関連した議論で）説明したとおり、小滴は、小滴に電圧を印加することによって、あるいは小液滴１３０１の表面張力（したがって小液滴１３０１がナノストラクチャの表面と形成する接触角）を低下させるある方法、例えば小液滴１３０１の温度を高くするなどの方法を使用することによってフィーチャ・パターンに侵入させることができる。
【００３１】
図１４に、図１３Ａおよび１３Ｂの例示的な実施形態の可能な一配置を示す。この配置は、化学／生物検出器としても、または化学反応応用例でも使用することができる。具体的には、液体を、その表面上でパターン形成された所定の配置のナノストラクチャを有するアレイ１４０２の表面を横切って方向１４０１に流すことができる。それぞれの領域１４０３は例えば、例えば別の化学／生物合成物を検出しまたはこれと反応するのに適した（図１３Ａおよび１３Ｂの１３０６などの）検出器／反応物を、ナノストラクチャの間に有することができる。したがって、検出器として使用する場合には、図１４のアレイ１４０２を使用して複数の異なる化合物を検出することができる。化学反応器として使用する場合には、所望の反応を達成するある種の化合物とだけ反応するように、それぞれの領域を設計することができる。
【００３２】
本発明の原理の他の使用を図１５に例示的に示す。具体的には図１５は、本発明の原理を利用して表面に所望のパターンを選択的にパターニングする方法を示している。この図では、ナノストラクチャ・フィーチャを特徴とする基板１５０６の表面に、所望のパターン（このケースでは星形パターン１５０２、１５０３、１５０４および１５０５）が画定されている。このようなパターニング応用例の望ましい目標は、パターン１５０２〜１５０５の中に液体を移動させ、それをその中にとどまらせることである。この目標を実施する１つの方法は、先に説明した周知の電圧差エレクトロウェッティングを、基板を横切って方向１５０１に流れる液体と星形パターン１５０３および１５０５の中のナノストラクチャとの間で使用する方法である。表面を横切るとき、液体は、これらの２つのパターンのナノストラクチャの間にだけ侵入し、そこで事実上不動化する。この結果として生じる不動化のため、液体の流れをなくすと、液体はパターン１５０３および１５０５の中だけに残る。
【００３３】
パターニング応用例において液体を星形パターンへ移動させる代替法は、図１１に示したものなどの密度変動パターンを使用して、パターン１５０２などの相対的に高密度のパターンへ液体を移動させ、エレクトロウェッティングによってそこに保持する方法である。エレクトロウェッティングをパターニング応用例（ならびに他の応用例）において使用して、図１５の星形パターンをより完全に濡らすこともできる。具体的には、前述の密度変動パターンを使用して星形パターン１５０２などの複雑なパターンへ小滴を移動させると、パターンの先端１５０７へ液体を完全に移動させることが難しいことがある。しかし、十分なエレクトロウェッティング電圧を印加することによって完全な濡れを達成することができる。
【００３４】
したがって、基板１５０６などの基板上の特定の複雑な領域の中に液体をパターニングすることができる。重合を受けやすい周知の液体（例えばアクリル・ベースの単量体の液体。これにはＮｏｒｌａｎｄ，Ｉｎｃ．社製のＮＡ７２光接着材が含まれる。ただしこれに限定されるわけではない）を選択し、その液体に例えば紫外光を当てることによって、パターン１５０３および１５０５に形状が一致した重合／硬化した材料を得ることができる。この重合プロセスを本明細書の例示的な任意の実施形態とともに使用して、液体を所望の位置へ移動させ、その液体をナノストラクチャ・フィーチャ・パターンに侵入させ、重合状態の小滴をその位置に固定することができることは当業者には自明であろう。
【００３５】
図１６Ａおよび１６Ｂに、本発明の原理の他の有用な応用例を示す。具体的には図１６Ａには、少なくともいくつかの光波長に対して透明な液体の小滴１６０１がナノストラクチャ１６０２上に配置された、光学回折格子が示されている。ナノストラクチャ１６０２は以前に説明したとおり、例えばシリコン基板である表面１６０３上に配置されている。光ビーム１６０４が小滴１６０１に入射すると、少なくともいくつかの波長が小滴１６０１を通過し、表面１６０３で反射され、経路１６０６に沿って伝わり、小液滴を逆方向に通過する。小液滴１６０１、次いで（比誘電率ε１を有する）領域１６０５を通過し、その下の基板１６０３で反射することによって、（液体と領域１６０５の間の屈折率の差によって）さまざまな周波数の光が除去され、波長λ１だけが現れて所定の方向に伝搬する。図１６Ｂは、（これまでに説明した方法の１つを使用して）小液滴１６０１をナノストラクチャ１６０２に侵入させることによって、領域１６０５の比誘電率がε２に変化し、これによって光がその中を伝わる媒質の屈折率が変化し、したがってλ２だけが現れて所定の方向に伝搬することを示している。このようにして、液体１６０１がナノストラクチャ・フィーチャ・パターンに侵入したときに、液体１６０１がフィーチャ・パターンに侵入していないときとは異なる光波長を通過させる調整可能な回折格子が生み出されることを当業者なら理解するであろう。
【００３６】
図１７Ａおよび１７Ｂに、本発明の原理の他の例示的な光学的使用、具体的には全反射（ＴＩＲ）ミラーとしての使用を示す。一例として、図１７Ａを参照すると、少なくとも１つの光波長に対して透明な基板１７０１（例えばガラス基板）が、ナノストラクチャ１７０２のフィーチャ・パターンを支持している。ナノストラクチャ１７０２上には先に説明したように小滴１７０３が載っている。基板１７０１は、方向１７０４へ進んでいる光ビームが特定の入射角（光の波長に応じた周知の角度）で基板を通過したときに上面１７０５と気体１７０６の境界で反射されるように配置されている。この反射が得られるのは、気体１７０６の屈折率が基板１７０１の屈折率よりも小さくなるような比誘電率ε１を気体（例えば空気）が持っているからである。
【００３７】
図１７Ｂに、ナノストラクチャ・フィーチャ・パターン１７０２に（やはり先に説明した方法によって）侵入した小滴１７０３を示す。ナノストラクチャ・フィーチャ・パターンの被侵入領域は、基板１７０１の屈折率より高い屈折率を与える比誘電率ε２を有する。その結果、光は反射されずに小滴１７０３を通過する。適当な基板材料、気体および小液滴と組み合わせたときに本明細書で説明し図１７Ａおよび１７Ｂに示した調整可能な反射特性を達成する特定の波長の光ビームの特定の入射角を当業者は認知するであろう。
【００３８】
図１８Ａ、１８Ｂおよび１８Ｃに、マイクロフルイディクス管１８０２などのチャネルの内壁にナノストラクチャ・フィーチャ・パターンが配置された、本発明の原理に基づく他の実施形態を示す。図１８Ａは、従来のマイクロフルイディクス管の場合のように管の内面にナノストラクチャを使用しない場合に、チャネルの中を液体が移動するときに、内壁と液体の間の摩擦によって生じる流動抵抗によって内壁の近くの液体の速度が低下することを示している。チャネルの内壁からさまざまな距離の液体の速度が速度ベクトル・プロファイル１８０１によって表されている。このベクトル・プロファイル１８０１は、チャネルの中央の液体が最も速く移動し（より長い速度ベクトル）、壁の直近の液体が最もゆっくりと移動する（より短い速度ベクトル）ことを示している。内壁のこの流動抵抗の結果、マイクロフルイディクス・チャネル１８０２を通して液体をポンピングするのに相対的に大きな電力を消費するより大型のポンプが必要となる。図１８Ｂは、マイクロフルイディクス・チャネル１８０２の内壁にナノストラクチャ・フィーチャ・パターン１８０３を配置することによって、液体に対して発揮される流動抵抗がどのように有利に低減するかを示している。これは、液体の速度ベクトル・プロファイル１８０４によって表されており、このプロファイルは、チャネル１８０２の壁に隣接した液体の速度がチャネルの中央の液体の速度にほぼ等しいことを示している。ナノストラクチャ・フィーチャ・パターン１８０３の使用に起因する流動抵抗の低下によって、チャネルを通して液体をポンピングするのに必要なポンプは小さくなり、有利には、動作に必要な電力が相対的に小さくなる。
【００３９】
マイクロフルイディクス応用例では、２本以上のチャネルの中を移動している異なる液体を混合することがしばしば望ましい。例えば、統合マイクロフルイディクス生化学分析システム用の別個のチャネルの中を移動しているＤＮＡと試薬を混合することは有用である。このようなシステムでは、ＤＮＡサンプルから遺伝情報を引き出す電気泳動プロセスの前にこの混合が実施される。複数のチャネルを混合するこれまでの作業は、混合を完全に達成するのに比較的に長い距離を必要とし、不利である。図１８Ｃは、本発明の原理に基づくミキサを示している。このミキサは例えば、例えば方向１８０９および１８１０に流れる２つの異なる液体の流れを結合したい場合に役立つ。先に論じたとおり、ナノストラクチャ・フィーチャ・パターン１８０３をチャネルの内壁に配置することによって、チャネルの中の相対的に小さな流動抵抗が達成される。先に論じたとおり、例えばナノストラクチャ・フィーチャ・パターンの離散領域１８０６の温度を増大させ、あるいはフィーチャ・パターンの液体と領域１８０６の間に電圧差を生み出すことにより、ナノストラクチャ・フィーチャ・パターンに液体を選択的に侵入させることによって、領域１８０６などのある領域の壁に沿った流動抵抗を増大させることができる。このように、図１８Ｃのミキサの中の流れ１８０５は、流動抵抗の小さい領域と、マイクロフルイディクス・チャネル１８０２の領域１８０６に隣接した、液体に対する流動抵抗の大きい領域とによって特徴づけられる。その結果、流れ１８０８によって表されているものなどの強く乱された流れが生み出される。この乱された流れは混合プロセスを増強し、２つ以上の液体の混合を相対的に短い距離で達成する。さらに、図１８のミキサでは、流動抵抗などの液体と表面の間の界面特性を動的に制御できるので、図１８のミキサを能動的に調整することができる。
【００４０】
図１９に、熱放散装置で有利に使用されるチャネルなどのチャネルの内壁にナノストラクチャ・フィーチャ・パターンが配置された本発明の他の実施形態を示す。熱放散は、電子装置によって生成される熱を放散させる応用例などの多くの応用例の主な関心事である。過剰な熱は電子装置の性能および全体寿命にしばしば不利な影響を及ぼす。装置１９０１は、コンピュータの中央処理ユニット、他のプロセッサなどの例示的な熱発生装置である。チャネル１９０２は装置１９０１に隣接して、または好ましくは装置１９０１と接触して配置されている。装置１９０１が熱を発生していないとき、チャネル１９０２の中の液体は図１８Ｂに示すように小さな流動抵抗を受ける。一例として、液体は、所定量の熱を受けると液体の表面張力が低下し、液体が壁１９０４の表面を濡らすように選択される。図９Ａおよび図９Ｂに示した前述のエレクトロウェッティング法など、ナノストラクチャ表面を濡らす他の方法を利用することもできることを当業者は理解されたい。
【００４１】
装置１９０１が十分な量の熱を発生させると、熱はチャネルの壁１９０４を通して伝わる。チャネルの中を方向１９０３へ移動している液体の表面張力が低下し、その結果、液体は、ナノストラクチャ・フィーチャ・パターンの領域１９０５のチャネルの内壁のナノストラクチャ・フィーチャ・パターンに侵入する。そのため、領域１９０５の液体は壁１９０４と直接に接触し、壁からの熱を、方向１９０３へ流れている液体により効率的に伝える。当業者には理解されることだが、領域１９０５への液体の侵入に起因する乱された流れ１９０６は、乱されていない層流よりもはるかに多くの熱放散を引き起こす。（ナノストラクチャ・フィーチャ・パターンに依存しない）従来の液体ベースの熱放散はある程度の熱を放散させるのには適当であったが、図１９の実施形態は、非常に多くの熱を放散させる能力を有利に有する。
【００４２】
以上の説明は単に本発明の原理を示したに過ぎない。したがって、当業者は、本発明の原理を具体化しその趣旨および範囲に含まれる、本明細書には明示的に説明しまたは図示しないさまざまな配置を考案することができることを理解されたい。例えば、本明細書のさまざまな実施形態の説明を考慮すれば、広範囲にわたるさまざまな分野および応用例で本発明の原理を利用できることを当業者は理解しよう。例えば、小液滴を移動させ、それを所望の静止位置にとどまらせることは、マイクロレンズなどのさまざまな装置の自己組立において有用である。本明細書に開示した原理を使用することによって、マイクロレンズを表面に配置することができ、次いでこのマイクロレンズは、静止したままになる所望の位置に自発的に移動する。潜在的な本発明の他の実施形態では、本発明のナノストラクチャまたはマイクロストラクチャ表面が表示装置に使用される。表示の内部の１種または数種の液体の移動を本明細書に開示した原理を使用して制御することによって、さまざまな画像を表示することができる。
【００４３】
本明細書に挙げた例および条件付きの用語は全て、本発明の原理の読者の理解を助ける教育的目的のために特に示しただけであって、具体的に挙げた例および条件には限定されないと解釈すべきである。さらに、本発明の態様および実施形態、ならびにその特定の例を挙げている本明細書中の表現は全て、その機能上の等価物を包含することを意図したものである。
【図面の簡単な説明】
【００４４】
【図１】基板の表面に置かれた液体の相互作用を示す従来技術のマイクロレンズ装置を示す図である。
【図２】図１のマイクロレンズとともに使用される従来技術のエレクトロウェッティング原理を使用して、基板に沿った所定の方向に小滴を移動させる方法を示す図である。
【図３Ａ】従来技術のマイクロライン表面を示す図である。
【図３Ｂ】従来技術のマイクロポスト表面を示す図である。
【図３Ｃ】従来技術のナノポスト表面を示す図である。
【図３Ｄ】図３Ａの従来技術の表面に置かれた小液滴、ならびに小滴と表面の間に生じる対応する接触角を示す図である。
【図３Ｅ】図３Ｂの従来技術の表面に置かれた小液滴、ならびに小滴と表面の間に生じる対応する接触角を示す図である。
【図３Ｆ】図３Ｃの従来技術の表面に置かれた小液滴、ならびに小滴と表面の間に生じる対応する接触角を示す図である。
【図４Ａ】本発明で使用するのに適した予め画定されたナノストラクチャからなる従来技術のさまざまなナノストラクチャ・フィーチャ・パターンを示す図である。
【図４Ｂ】本発明で使用するのに適した予め画定されたナノストラクチャからなる従来技術のさまざまなナノストラクチャ・フィーチャ・パターンを示す図である。
【図４Ｃ】本発明で使用するのに適した予め画定されたナノストラクチャからなる従来技術のさまざまなナノストラクチャ・フィーチャ・パターンを示す図である。
【図４Ｄ】本発明で使用するのに適した予め画定されたナノストラクチャからなる従来技術のさまざまなナノストラクチャ・フィーチャ・パターンを示す図である。
【図４Ｅ】本発明で使用するのに適した予め画定されたナノストラクチャからなる従来技術のさまざまなナノストラクチャ・フィーチャ・パターンを示す図である。
【図５】ナノストラクチャ・フィーチャ・パターン上に小液滴が配置された例示的な従来技術の装置を示す図である。
【図６】図４Ｃの従来技術のナノストラクチャ・フィーチャ・パターンをより詳細に示す図である。
【図７Ａ】図６のナノストラクチャ・フィーチャ・パターン上に置かれた異なる表面張力を有するさまざまな液体の小滴を示す図である。
【図７Ｂ】図６のナノストラクチャ・フィーチャ・パターン上に置かれた異なる表面張力を有するさまざまな液体の小滴を示す図である。
【図７Ｃ】図６のナノストラクチャ・フィーチャ・パターン上に置かれた異なる表面張力を有するさまざまな液体の小滴を示す図である。
【図７Ｄ】図６のナノストラクチャ・フィーチャ・パターン上に置かれた異なる表面張力を有するさまざまな液体の小滴を示す図である。
【図８Ａ】図７Ａの小滴およびナノストラクチャ・フィーチャ・パターンの断面を示す図である。
【図８Ｂ】図７Ｃの小滴およびナノストラクチャ・フィーチャ・パターンの断面を示す図である。
【図９Ａ】図２のエレクトロウェッティング原理を使用してナノストラクチャ・フィーチャ・パターンに小液滴を侵入させる本発明の原理に基づく装置を示す図である。
【図９Ｂ】図２のエレクトロウェッティング原理を使用してナノストラクチャ・フィーチャ・パターンに小液滴を侵入させる本発明の原理に基づく装置を示す図である。
【図１０】図９Ａおよび９Ｂのナノストラクチャ・フィーチャ・パターンの例示的なナノポストの詳細を示す図である。
【図１１】ナノポストの密度が異なるナノストラクチャ・フィーチャ・パターン上に小滴を配置することによって、ナノポストの密度が最も高い領域に向かって小滴を移動させる方法を示す図である。
【図１２】のこぎり歯パターンに配置されたナノポストを有するナノストラクチャ・フィーチャ・パターン上に小滴を配置することによって、そのパターンに対して既知の方向に小滴を移動させる方法を示す図である。
【図１３Ａ】本発明の原理に基づく化学または生物検出器を示す図である。
【図１３Ｂ】本発明の原理に基づく化学または生物検出器を示す図である。
【図１４】図１３Ａおよび１３Ｂの検出器を、複数の元素または合成物を検出することができるアレイに配置する方法を示す図である。
【図１５】本発明の原理に従ってパターンを製作する方法を示す図である。
【図１６Ａ】本発明の原理に基づく回折格子を示す図である。
【図１６Ｂ】本発明の原理に基づく回折格子を示す図である。
【図１７Ａ】本発明の原理に基づく全反射（ＴＩＲ）ミラーを示す図である。
【図１７Ｂ】本発明の原理に基づく全反射（ＴＩＲ）ミラーを示す図である。
【図１８Ａ】本発明の原理に基づくマイクロフルイディクス・ミキサを示す図である。
【図１８Ｂ】本発明の原理に基づくマイクロフルイディクス・ミキサを示す図である。
【図１８Ｃ】本発明の原理に基づくマイクロフルイディクス・ミキサを示す図である。
【図１９】本発明の原理に基づく熱放散装置を示す図である。
【図１】
2004299051.tif 000003
【図２】
2004299051.tif 000004
【図３Ａ】
2004299051.tif 000005
【図３Ｂ】
2004299051.tif 000006
【図３Ｃ】
2004299051.tif 000007
【図３Ｄ】
2004299051.tif 000008
【図３Ｅ】
2004299051.tif 000009
【図３Ｆ】
2004299051.tif 000010
【図４Ａ】
2004299051.tif 000011
【図４Ｂ】
2004299051.tif 000012
【図４Ｃ】
2004299051.tif 000013
【図４Ｄ】
2004299051.tif 000014
【図４Ｅ】
2004299051.tif 000015
【図５】
2004299051.tif 000016
【図６】
2004299051.tif 000017
【図７Ａ】
2004299051.tif 000018
【図７Ｂ】
2004299051.tif 000019
【図７Ｃ】
2004299051.tif 000020
【図７Ｄ】
2004299051.tif 000021
【図８Ａ】
2004299051.tif 000022
【図８Ｂ】
2004299051.tif 000023
【図９Ａ】
2004299051.tif 000024
【図９Ｂ】
2004299051.tif 000025
【図１０】
2004299051.tif 000026
【図１１】
2004299051.tif 000027
【図１２】
2004299051.tif 000028
【図１３Ａ】
2004299051.tif 000029
【図１３Ｂ】
2004299051.tif 000030
【図１４】
2004299051.tif 000031
【図１５】
2004299051.tif 000032
【図１６Ａ】
2004299051.tif 000033
【図１６Ｂ】
2004299051.tif 000034
【図１７Ａ】
2004299051.tif 000035
【図１７Ｂ】
2004299051.tif 000036
【図１８Ａ】
2004299051.tif 000037
【図１８Ｂ】
2004299051.tif 000038
【図１８Ｃ】
2004299051.tif 000039
【図１９】
2004299051.tif 000040